(57)【特許請求の範囲】
【請求項１】
ゴーグル本体（２）の左右方向両端部に、バンド（３）をバンド連結具（４）を介して連結するようにしたゴーグルにおいて、
ゴーグル本体（２）の左右方向両端部に、上下一対の係止片（８）が設けられ、バンド連結具（４）に、前記上下一対の係止片（８）間にバンド連結具（４）の上下移動を規制するように嵌合すると共に対応する係止片（８）にバンド連結具（４）の前方移動を規制するように係合する上下一対の係合片（１３）が、前記上下一対の係止片（８）に対応して突出状に設けられ、前記上下一対の係合片（１３）間に、バンド（３）を卷回装着するための連結片（１４）が、一対の係合片（１３）の突出端側を連結するように設けられ、ゴーグル本体（２）の左右方向両端部とバンド連結具（４）との間に、ゴーグル本体（２）に対してバンド連結具（４）の左右方向外方側への移動を規制するように凹凸嵌合する嵌合機構（１７）が設けられ、
バンド連結具（４）の連結片（１４）にバンド（３）を巻回装着した状態で、上下一対の係合片（１３）を上下一対の係止片（８）間に嵌合可能となるように、上下一対の係止片（８）の外端側間は開放状とされ、上下一対の係合片（１３）は、係合片（１３）又は係止片（８）の弾性変形によって、係止片（８）に対し係脱可能とされていることを特徴とするゴーグル。
【請求項２】
前記嵌合機構（１７）は、ゴーグル本体（２）の左右方向両端部に設けた嵌合凹部（１８）と、バンド連結具（４）に設けた嵌合凸部（１９）とからなり、嵌合凹部（１８）と嵌合凸部（１９）との凹凸嵌合によりゴーグル本体（２）に対してバンド連結具（４）の左右方向外方側への移動を規制するように構成されていることを特徴とする請求項１に記載のゴーグル。
【請求項３】
前記嵌合機構（１７）は、バンド連結具（４）に設けた嵌合凹部（１８）と、ゴーグル本体（２）の左右方向両端部に設けた嵌合凸部（１９）とからなり、嵌合凹部（１８）と嵌合凸部（１９）との凹凸嵌合によりゴーグル本体（２）に対してバンド連結具（４）の左右方向外方側への移動を規制するように構成されていることを特徴とする請求項１に記載のゴーグル。
【請求項４】
ゴーグル本体（２）の左右両端部の前記上下一対の係止片（８）よりも左右方向内方側に、前記嵌合機構（１７）の嵌合凹部（１８）又は嵌合凸部（１９）が上下一対設けられ、前記バンド連結具（４）が、前記上下一対の係合片（１３）が設けられる基部（４ａ）と、基部（４ａ）の上下両側から左右方向内方に突出した上下一対の突出部（４ｂ）とを有するコの字状に形成され、上下一対の突出部（４ｂ）に、前記嵌合機構（１７）の嵌合凸部（１９）又は嵌合凹部（１８）が上下一対設けられていることを特徴とする請求項２又は３に記載のゴーグル。
【請求項５】
ゴーグル本体（２）の左右両端部に、バンド連結具（４）が嵌合するように凹んだ取付凹部（７）が設けられ、この取付凹部（７）に、前記上下一対の係止片（８）及び前記嵌合機構（１７）の嵌合凹部（１８）又は嵌合凸部（１９）が設けられ、前記バンド連結具（４）の係合片（１３）を係止片（８）間に嵌合させると共に嵌合凸部（１９）を嵌合凹部（１８）に嵌合させることにより、バンド連結具（４）が取付凹部（７）内に嵌合保持されるように構成されていることを特徴とする請求項１〜４のいずれかに記載のゴーグル。
【発明の詳細な説明】
【０００１】
【発明の属する技術分野】
本発明は、遊泳用、競泳用、スキー用等のゴーグルに関する。
【０００２】
【従来の技術】
遊泳用、競泳用、スキー用等のゴーグルには、ゴーグル本体の左右両端部に、弾性バンドをバンド連結具を介して連結するようにしたものがあるが、この種の従来のゴーグルは、バンド連結具の左右方向内端部側に、ゴーグル本体の左右両端部に着脱自在に係合される係合部が設けられると共に、バンド連結具の左右方向外端部側に、弾性バンドを連結する連結部が設けられている（例えば、特開平７−６７９８３号公報、実公昭６４−４３７２号公報）。
【０００３】
【発明が解決しようとする課題】
従って、従来の場合、バンド連結具に、ゴーグル本体に着脱自在に係合するための係合部と、バンドを連結するたもの連結部とを左右方向に分けて別個に設ける必要があり、バンド連結具が左右方向に長くなり、ゴーグル本体からバンド連結具の連結部が左右方向外方に大きく突出し、外観上の体裁が悪くなるばかりではなく、泳ぐ際等の大きな抵抗になるという問題があった。
【０００４】
本発明は、上記問題点に鑑み、ゴーグル本体の左右両端部にバンドを連結するためのバンド連結具を左右方向に短く形成できて、バンド連結具がゴーグル本体から大きく外方突出しないようにコンパクト化したものである。
【０００５】
【課題を解決するための手段】
この技術的課題を解決するための本発明の第一の技術的手段は、ゴーグル本体２の左右方向両端部に、バンド３をバンド連結具４を介して連結するようにしたゴーグルにおいて、
ゴーグル本体２の左右方向両端部に、上下一対の係止片８が設けられ、バンド連結具４に、前記上下一対の係止片８間にバンド連結具４の上下移動を規制するように嵌合すると共に対応する係止片８にバンド連結具４の前方移動を規制するように係合する上下一対の係合片１３が、前記上下一対の係止片８に対応して突出状に設けられ、前記上下一対の係合片１３間に、バンド３を卷回装着するための連結片１４が、一対の係合片１３の突出端側を連結するように設けられ、ゴーグル本体２の左右方向両端部とバンド連結具４との間に、ゴーグル本体２に対してバンド連結具４の左右方向外方側への移動を規制するように凹凸嵌合する嵌合機構１７が設けられ、
バンド連結具４の連結片１４にバンド３を巻回装着した状態で、上下一対の係合片１３を上下一対の係止片８間に嵌合可能となるように、上下一対の係止片８の外端側間は開放状とされ、上下一対の係合片１３は、係合片１３又は係止片８の弾性変形によって、係止片８に対し係脱可能とされている点にある。
【０００６】
第二の技術的手段は、前記嵌合機構１７は、ゴーグル本体２の左右方向両端部に設けた嵌合凹部１８と、バンド連結具４に設けた嵌合凸部１９とからなり、嵌合凹部１８と嵌合凸部１９との凹凸嵌合によりゴーグル本体２に対してバンド連結具４の左右方向外方側への移動を規制するように構成されている点にある。
第三の技術的手段は、前記嵌合機構１７は、バンド連結具４に設けた嵌合凹部１８と、ゴーグル本体２の左右方向両端部に設けた嵌合凸部１９とからなり、嵌合凹部１８と嵌合凸部１９との凹凸嵌合によりゴーグル本体２に対してバンド連結具４の左右方向外方側への移動を規制するように構成されている点にある。
【０００７】
第四の技術的手段は、ゴーグル本体２の左右両端部の前記上下一対の係止片８よりも左右方向内方側に、前記嵌合機構１７の嵌合凹部１８又は嵌合凸部１９が上下一対設けられ、前記バンド連結具４が、前記上下一対の係合片１３が設けられる基部４ａと、基部４ａの上下両側から左右方向内方に突出した上下一対の突出部４ｂとを有するコの字状に形成され、上下一対の突出部４ｂに、前記嵌合機構１７の嵌合凸部１９又は嵌合凹部１８が上下一対設けられている点にある。
【０００８】
第五の技術的手段は、ゴーグル本体２の左右両端部に、バンド連結具４が嵌合するように凹んだ取付凹部７が設けられ、この取付凹部７に、前記上下一対の係止片８及び前記嵌合機構１７の嵌合凹部１８又は嵌合凸部１９が設けられ、前記バンド連結具４の係合片１３を係止片８間に嵌合させると共に嵌合凸部１９を嵌合凹部１８に嵌合させることにより、バンド連結具４が取付凹部７内に嵌合保持されるように構成されている点にある。
【０００９】
従って、バンド連結具４の連結片１４にバンド３を卷回装着した状態で、バンド連結具４をゴーグル本体２の左右方向両端部に押し付けると、ゴーグル本体２の上下一対の係止片８間に、バンド連結具４の上下一対の係合片１３が嵌合乃至係合し、また嵌合凹部１８と嵌合凸部１９とが凹凸嵌合する。上下一対の係止片８間に、上下一対の係合片１３が嵌合乃至係合することによって、ゴーグル本体２に対するバンド連結具４の上下移動及び前方移動が規制される。嵌合凹部１８と嵌合凸部１９との凹凸嵌合によりゴーグル本体２に対してバンド連結具４の左右方向外方側への移動が規制される。その結果、バンド連結具４が取付凹部７内に嵌合保持され、ゴーグル本体２の左右方向両端部にバンド連結具４を介してバンド３が簡単かつ確実に連結される。
【００１０】
【発明の実施の形態】
以下、本発明の実施の形態を図を参照して説明する。
図３において、遊泳用、競泳用のゴーグル１は、ゴーグル本体２と、弾性バンド３と、ゴーグル本体２の左右両端部に弾性バンド３を連結するための左右一対のバンド連結具４とを備え、ゴーグル本体２は、左右のゴーグル体２Ｌ，２Ｒと、該左右のゴーグル体２Ｌ，２Ｒの左右間隔を調整するため該ゴーグル体２Ｌ，２Ｒの内端を互いに係脱自在として連結する可撓性を有するジョイント５とから成る。
【００１１】
ゴーグル体２Ｌ，２Ｒの顔面当てがい用の端縁部には、顔面に密着しかつ顔面に強い衝撃を与えないために柔軟な弾力を有する環状パッド６が着脱自在に装着されている。
ゴーグル体２Ｌ，２Ｒは、透明又は半透明の硬質合成樹脂製であって少なくともそのレンズ面は防曇処理が施されている。
【００１２】
なお、ゴーグル体２Ｌ，２Ｒのレンズ面は度付でも度なしであってもよく、レンズ面はゴーグル体２Ｌ，２Ｒと一体成形されることが望ましいが、レンズ面は本体とは別個に作って嵌め込み式にしたものであってもよい。
図１、図２、図４、図５及び図６に示すように、ゴーグル本体２の左右方向両端部、即ち左右のゴーグル体２Ｌ，２Ｒの各外端部には、バンド連結具４を嵌合するように凹んだ取付凹部７が設けられている。この取付凹部７に、前側に突出した上下一対の係止片８が設けられている。
【００１３】
バンド連結具４は、合成樹脂等により基部４ａと、該基部４ａの上下両側から左右方向内方に突出した上下一対の突出部４ｂとを有するコの字状に形成されている。バンド連結具４の基部４ａに、後方に突出した上下一対の係合片１３が前記上下一対の係止片８に対応して設けられ、上下一対の係合片１３は、前記上下一対の係止片８間にバンド連結具４の上下移動を規制するように嵌合すると共に、各係合片１３が対応する係止片８にバンド連結具４の前方移動を規制するように係合する。この一対の係合片１３は、係合片１３又は係止片８の弾性変形によって、係止片８に対し係脱可能である。
【００１４】
上下一対の係合片１３間に、弾性バンド４を卷回装着するための連結片１４が設けられ、連結片１４は一対の係合片１３の突出端側を連結している。
前記ゴーグル本体２の左右方向両端部（取付凹部７）とバンド連結具４との間に、ゴーグル本体２に対してバンド連結具４の左右方向外方への移動を規制するように凹凸嵌合する嵌合機構１７が設けられている。この嵌合機構１７は、ゴーグル本体２の左右方向両端部即ち取付凹部７に設けられた上下一対の嵌合凹部１８と、バンド連結具３に設けられた上下一対の嵌合凸部１９とからなり、嵌合凹部１８と嵌合凸部１９との凹凸嵌合によりゴーグル体の左右両端部に対してバンド連結具４の左右方向外方への移動を規制するように構成されている。
【００１５】
上下一対の嵌合凹部１９は、ゴーグル本体２の左右方向両端部即ち取付凹部７の、前記上下一対の係止片８よりも左右方向内方側に設けられ、各嵌合凹部１８は左右方向外方に傾斜して後方に没入形成されている。上下一対の嵌合凸部１９は、バンド連結具４の上下一対の突出部４ｂに、前記上下一対の嵌合凹部１８に対応するように設けられ、各嵌合凸部１９は左右方向外方に傾斜して後方に突出形成されている。
【００１６】
バンド連結具４の係合片１３を係止片８間に嵌合させるとともに嵌合凸部１９を嵌合凹部１８に嵌合させることにより、バンド連結具４の外面がゴーグル本体２の外面と略面一になるように取付凹部７内にバンド連結具４が嵌合保持されるようになっている。
なお、前記弾性バンド３は、図３に示すようにゴム等にて一本の帯紐状に構成され、その両端部同士を接続体２１によって接続して環状に形成され、図１に鎖線で示すように弾性バンド３の中途部が一対のバンド連結具４の連結片１４に夫々卷回されて折り返されている。
【００１７】
なお、前記実施の形態では、ゴーグル本体２は、左右のゴーグル体２Ｌ，２Ｒと、ジョイント５とからなるが、これに代え、ゴーグル本体２を合成樹脂等により一体に形成するようにしてもよい。
また、前記実施の形態では、本発明を遊泳用又は競泳用のゴーグルに実施しているが、これに代え、本発明をスキー用その他のゴーグルに適用実施するようにしてもよい。
【００１８】
また、前記実施の形態では、嵌合機構１７の嵌合凹部１８をゴーグル本体２に設け、嵌合機構１７の嵌合凸部１９をバンド連結具４に設けているが、これに代え、嵌合機構１７の嵌合凹部１８をバンド連結具４に設け、嵌合機構１７の嵌合凸部１９をゴーグル本体２に設けるようにしてもよい。
【００１９】
【発明の効果】
本発明によれば、上下一対の係合片１３間に、バンド３を卷回装着するための連結片１４が、一対の係合片１３の突出端側を連結するように設けられており、ゴーグル本体２に着脱自在に係合するための係合部と、バンドを連結するたもの連結部とが同一箇所に一体に設けられるため、バンド連結具４が左右方向に短くなり、ゴーグル本体２からバンド連結具４が左右方向外方に大きく突出するようなことがなくて、外観上の体裁が良くなると共に、バンド連結具４が泳ぐ際等の大きな抵抗になることもなくなる。しかも、一対の係合片１３の突出端側をバンド３を卷回装着するための連結片１４で連結して、係合片１３を効果的に補強でき、バンド連結具４を単純な構造で強固なものになし得る。
【００２０】
また、バンド３をバンド連結具４を介して連結した際には、バンド連結具４の略全体が、ゴーグル本体２の左右両端部の凹んだ取付凹部７内に嵌合した状態になり、この点からも、ゴーグル本体２の左右方向両端部が突出部分のないすっきりした形状になり、外観上の体裁がより一層良くなると共に、バンド連結具４が泳ぐ際等の抵抗をより一層少なくなし得る。
【図面の簡単な説明】
【図１】本発明の実施の形態を示す平断面図である。
【図２】  同図１のＡ−Ａ線断面図である。
【図３】同ゴーグルの全体斜視図である。
【図４】同ゴーグル本体の拡大正面図である。
【図５】同ゴーグル本体の平断面図である。
【図６】バンド連結具の背面図である。
【符号の説明】
１    ゴーグル
２    ゴーグル本体
３    弾性バンド
４    ベルト連結具
４ａ  基部
４ｂ  突出部
７    取付凹部
８    係止片
１３  係合片
１４  連結片
１７  嵌合機構
１８  嵌合凹部
１９  嵌合凸部
【図１】
0003693713.tif 000002
【図２】
0003693713.tif 000003
【図３】
0003693713.tif 000004
【図４】
0003693713.tif 000005
【図５】
0003693713.tif 000006
【図６】
0003693713.tif 000007